(57)【要約】【課題】動作の開始後完了までの間に周辺環境が静音状態になった場合、動作音を抑制することができる画像形成装置等を提供する。【解決手段】動作時に動作音を発生する少なくとも一つの動作手段１２０、１４０と、音を検知して音量情報を出力するセンサー１７０と、動作手段の動作の開始後完了までの間に、センサーから出力される音量情報に基づいて１回または複数回の音量検出を行う音量検出手段１００と、検出された音量が予め設定された閾値以下か否かを判定し、閾値以下の場合は、動作手段の全部または一部を停止させるか、または動作音が小さい動作に変更させる制御手段１００を備えている。【選択図】図２
2018167513.tif 000002
【特許請求の範囲】
【請求項１】
動作時に動作音を発生する少なくとも一つの動作手段と、
音を検知して音量情報を出力するセンサーと、
前記動作手段の動作の開始後完了までの間に、前記センサーから出力される音量情報に基づいて１回または複数回の音量検出を行う音量検出手段と、
前記音量検出手段により検出された音量が予め設定された閾値以下か否かを判定し、閾値以下の場合は、前記動作手段の全部または一部を停止させるか、または動作音が小さい動作に変更させる制御手段と、
を備えたことを特徴とする画像形成装置。
【請求項２】
前記音量検出手段が音量検出を行うときは、前記制御手段は前記動作手段の全部または一部を停止させるか、または動作音が小さい動作に変更させる請求項１に記載の画像形成装置。
【請求項３】
予め行われた前記動作手段の動作音量の測定の結果を保存する保存手段を備え、
前記音量検出手段は前記動作手段の動作状態のまま音量検出を行い、
前記制御手段は、前記音量検出手段により検出された音量から前記保存手段に保存されている動作中の動作手段に対応する動作音量を差し引いた結果が、予め設定された閾値以下か否かを判定する請求項１に記載の画像形成装置。
【請求項４】
前記動作手段が印刷手段であり、
当該印刷手段がセキュリティ印刷を行っている場合、前記制御手段はセキュリティ印刷の完了まで動作手段の動作をそのまま継続させる請求項１〜３のいずれかに記載の画像形成装置。
【請求項５】
前記動作手段による動作が一定値以下の頁数の文書に対する処理動作である場合、前記制御手段は前記処理動作の完了まで動作手段の動作をそのまま継続させる請求項１〜４のいずれかに記載の画像形成装置。
【請求項６】
検出された音量が閾値以下のため前記制御手段により前記動作手段の全部または一部の停止が行われた場合、そのことをユーザーに通知するための通知手段を備えている請求項１〜５のいずれかに記載の画像形成装置。
【請求項７】
動作時に動作音を発生する少なくとも一つの動作手段と、音を検知して音量情報を出力するセンサーを備えた画像形成装置が、
前記動作手段の動作の開始後完了までの間に、前記センサーから出力される音量情報に基づいて１回または複数回の音量検出を行う音量検出ステップと、
前記音量検出ステップにより検出された音量が予め設定された閾値以下か否かを判定し、閾値以下の場合は、前記動作手段の全部または一部を停止させるか、または動作音が小さい動作に変更させる制御ステップと、
を実行することを特徴とする動作音抑制方法。
【請求項８】
動作時に動作音を発生する少なくとも一つの動作手段と、音を検知して音量情報を出力するセンサーを備えた画像形成装置のコンピュータに、
前記動作手段の動作の開始後完了までの間に、前記センサーから出力される音量情報に基づいて１回または複数回の音量検出を行う音量検出ステップと、
前記音量検出ステップにより検出された周辺音量が予め設定された閾値以下か否かを判定し、閾値以下の場合は、前記動作手段の全部または一部を停止させるか、または動作音が小さい動作に変更させる制御ステップと、
を実行させるための動作音抑制プログラム。
【請求項９】
前記音量検出ステップにより音量検出を行うときは、前記制御ステップでは前記動作手段の全部または一部を停止させるか、または動作音が小さい動作に変更させる処理を前記コンピュータに実行させる請求項８に記載の動作音抑制プログラム。
【請求項１０】
予め行われた前記動作手段の動作音量の測定の結果を保存する保存手段を備え、
前記音量検出ステップでは前記動作手段の動作状態のまま音量検出を行い、
前記制御ステップでは、前記音量検出ステップにより検出された音量から前記保存手段に保存されている動作中の動作手段に対応する動作音量を差し引いた結果が、予め設定された閾値以下か否かを判定する処理を前記コンピュータに実行させる請求項８に記載の動作音抑制プログラム。
【請求項１１】
前記動作手段が印刷手段であり、
当該印刷手段がセキュリティ印刷を行っている場合、前記制御ステップではセキュリティ印刷の完了まで動作手段の動作をそのまま継続させる処理を前記コンピュータに実行させる請求項８〜１０のいずれかに記載の動作音抑制プログラム。
【請求項１２】
前記動作手段による動作が一定値以下の頁数の文書に対する処理動作である場合、前記制御ステップでは前記処理動作の完了まで動作手段の動作をそのまま継続させる処理を前記コンピュータに実行させる請求項８〜１１のいずれかに記載の動作音抑制プログラム。
【請求項１３】
検出された音量が閾値以下のため前記制御ステップにより前記動作手段の全部または一部の停止が行われた場合、そのことをユーザーに通知するための通知ステップを前記コンピュータに更に実行させる請求項８〜１２のいずれかに記載の動作音抑制プログラム。
【発明の詳細な説明】
【技術分野】
【０００１】
この発明は、例えば多機能デジタル複合機であるＭＦＰ（Multi Function Peripherala）等の画像形成装置、同装置で実行される動作音抑制方法及び動作音抑制プログラムに関する。
【背景技術】
【０００２】
上記のＭＦＰ等の画像形成装置では、スキャナ装置による原稿の読み取り時の動作音や印刷部による印刷時の動作音が発生するが、このような動作音は静かなオフィス環境においては騒音源となりやすい。また、印刷物の中には直ちに印刷を行わなくても良い印刷物もある。
【０００３】
そこで、特許文献１には、ファクシミリ受信時に発する音や印刷時に発する音をまわりの騒音の状況に合わせて制御可能な画像形成装置が提案されている。具体的には、画像形成装置は、周囲の音量を検出する音量検出部を有し、音量検出部で測定した周辺音量が閾値以下であるときには、印字部の印字動作を禁止するというものである。
【０００４】
しかし、特許文献１に記載された画像形成装置は、印字部の印字動作の開始前に音量検出部で周辺の音量を検出するものであったため、次のような問題があった。
【先行技術文献】
【特許文献】
【０００５】
【特許文献１】特開２００８−１４７８１３号公報
【発明の概要】
【発明が解決しようとする課題】
【０００６】
即ち、特許文献１に記載の画像形成装置では、オフィス等における画像形成装置の周辺音量が所定音量よりも大きい場合、つまり静音状態ではない場合に印字動作が開始されるが、印字動作の開始後完了までの間に、周辺環境が静音状態になる場合もある。
【０００７】
しかしながら、特許文献１に記載の画像形成装置では、一旦印字動作が開始されると印字終了まで印字動作が停止することなく継続されるため、印字動作の開始後完了までの間に、オフィス環境等が静音状態になった場合は、やはり騒音の原因となるという問題がある。
【０００８】
しかも、印字動作の開始後に音量検出部で周辺音量を検出したとしても、自身の印字部の動作音も検出してしまうため、周辺音量が所定音量よりも大きいと判断されてしまう。
このため、印字動作の開始後完了までの間に周辺環境が静音状態になったとしても、いずれにせよ印字動作を停止させることはできなかった。
【０００９】
この発明は、このような技術的背景に鑑みてなされたものであって、動作の開始後完了までの間に周辺環境が静音状態になった場合、動作音を抑制することができる画像形成装置を提供し、さらには同装置で実行される動作音抑制方法及び動作音抑制プログラムを提供することを課題とする。
【課題を解決するための手段】
【００１０】
上記課題は、以下の手段によって解決される。
（１）動作時に動作音を発生する少なくとも一つの動作手段と、音を検知して音量情報を出力するセンサーと、前記動作手段の動作の開始後完了までの間に、前記センサーから出力される音量情報に基づいて１回または複数回の音量検出を行う音量検出手段と、前記音量検出手段により検出された音量が予め設定された閾値以下か否かを判定し、閾値以下の場合は、前記動作手段の全部または一部を停止させるか、または動作音が小さい動作に変更させる制御手段と、を備えたことを特徴とする画像形成装置。
（２）前記音量検出手段が音量検出を行うときは、前記制御手段は前記動作手段の全部または一部を停止させるか、または動作音が小さい動作に変更させる前項１に記載の画像形成装置。
（３）予め行われた前記動作手段の動作音量の測定の結果を保存する保存手段を備え、前記音量検出手段は前記動作手段の動作状態のまま音量検出を行い、前記制御手段は、前記音量検出手段により検出された音量から前記保存手段に保存されている動作中の動作手段に対応する動作音量を差し引いた結果が、予め設定された閾値以下か否かを判定する前項１に記載の画像形成装置。
（４）前記動作手段が印刷手段であり、当該印刷手段がセキュリティ印刷を行っている場合、前記制御手段はセキュリティ印刷の完了まで動作手段の動作をそのまま継続させる前項１〜３のいずれかに記載の画像形成装置。
（５）前記動作手段による動作が一定値以下の頁数の文書に対する処理動作である場合、前記制御手段は前記処理動作の完了まで動作手段の動作をそのまま継続させる前項１〜４のいずれかに記載の画像形成装置。
（６）検出された音量が閾値以下のため前記制御手段により前記動作手段の全部または一部の停止が行われた場合、そのことをユーザーに通知するための通知手段を備えている前項１〜５のいずれかに記載の画像形成装置。
（７）動作時に動作音を発生する少なくとも一つの動作手段と、音を検知して音量情報を出力するセンサーを備えた画像形成装置が、前記動作手段の動作の開始後完了までの間に、前記センサーから出力される音量情報に基づいて１回または複数回の音量検出を行う音量検出ステップと、前記音量検出ステップにより検出された音量が予め設定された閾値以下か否かを判定し、閾値以下の場合は、前記動作手段の全部または一部を停止させるか、または動作音が小さい動作に変更させる制御ステップと、を実行することを特徴とする動作音抑制方法。
（８）動作時に動作音を発生する少なくとも一つの動作手段と、音を検知して音量情報を出力するセンサーを備えた画像形成装置のコンピュータに、前記動作手段の動作の開始後完了までの間に、前記センサーから出力される音量情報に基づいて１回または複数回の音量検出を行う音量検出ステップと、前記音量検出ステップにより検出された周辺音量が予め設定された閾値以下か否かを判定し、閾値以下の場合は、前記動作手段の全部または一部を停止させるか、または動作音が小さい動作に変更させる制御ステップと、を実行させるための動作音抑制プログラム。
（９）前記音量検出ステップにより音量検出を行うときは、前記制御ステップでは前記動作手段の全部または一部を停止させるか、または動作音が小さい動作に変更させる処理を前記コンピュータに実行させる前項８に記載の動作音抑制プログラム。
（１０）予め行われた前記動作手段の動作音量の測定の結果を保存する保存手段を備え、前記音量検出ステップでは前記動作手段の動作状態のまま音量検出を行い、前記制御ステップでは、前記音量検出ステップにより検出された音量から前記保存手段に保存されている動作中の動作手段に対応する動作音量を差し引いた結果が、予め設定された閾値以下か否かを判定する処理を前記コンピュータに実行させる前項８に記載の動作音抑制プログラム。
（１１）前記動作手段が印刷手段であり、当該印刷手段がセキュリティ印刷を行っている場合、前記制御ステップではセキュリティ印刷の完了まで動作手段の動作をそのまま継続させる処理を前記コンピュータに実行させる前項８〜１０のいずれかに記載の動作音抑制プログラム。
（１２）前記動作手段による動作が一定値以下の頁数の文書に対する処理動作である場合、前記制御ステップでは前記処理動作の完了まで動作手段の動作をそのまま継続させる処理を前記コンピュータに実行させる前項８〜１１のいずれかに記載の動作音抑制プログラム。
（１３）検出された音量が閾値以下のため前記制御ステップにより前記動作手段の全部または一部の停止が行われた場合、そのことをユーザーに通知するための通知ステップを前記コンピュータに更に実行させる前項８〜１２のいずれかに記載の動作音抑制プログラム。
【発明の効果】
【００１１】
前項（１）に記載の発明によれば、動作手段の動作の開始後完了までの間に、センサーから出力される音量情報に基づいて１回または複数回の音量検出が行われ、検出された音量が予め設定された閾値以下か否かが判定される。そして、閾値以下の場合は動作手段の全部または一部が停止されるか、または動作音が小さい動作に変更される。従って、動作手段の動作の開始後完了までの間に周辺環境が静音状態になった場合は、検出された音量が閾値以下になるから、動作手段の全部または一部は停止されまたは動作音量が低下する動作に変更され、このため画像形成装置の動作音を抑制することができ、オフィス環境等の改善に資することができる。
【００１２】
前項（２）に記載の発明によれば、音量の検出を行うときは、動作手段の全部または一部が停止されるか、または動作音が小さい動作に変更されるから、動作手段の動作音を極力排除した状態で音量検出が行われ、動作手段の動作音以外の音の大小、換言すれば周辺環境が静音状態か否かを精度良く判定することができる。
【００１３】
前項（３）に記載の発明によれば、予め行われた動作手段の動作音量の測定の結果が保存手段に保存されており、音量検出は動作手段の動作状態のまま行われるとともに、検出された周辺音量から保存手段に保存されている動作中の動作手段に対応する動作音量を差し引いた結果が、予め設定された閾値以下か否かが判定されるから、音量の検出のために動作手段を停止等させる必要はなくなり、効率化を図ることができる。
【００１４】
前項（４）に記載の発明によれば、セキュリティ印刷が行われている場合は、印刷後に周辺環境が静音状態になったとしてもセキュリティ印刷の完了まで印刷動作がそのまま継続されるから、印刷動作を停止等させることによるセキュリティ上の問題が発生することはない。
【００１５】
前項（５）に記載の発明によれば、動作手段による動作が一定値以下の頁数の文書に対する処理動作である場合、処理完了までの時間も短いため、処理動作の完了まで動作手段の動作がそのまま継続される。
【００１６】
前項（６）に記載の発明によれば、検出された音量が閾値以下のため動作手段の全部または一部が停止された場合はユーザーに通知されるから、ユーザーは動作手段の全部または一部が停止したことを認識することができる。
【００１７】
前項（７）に記載の発明によれば、動作手段の動作の開始後完了までの間に周辺環境が静音状態になった場合は、動作手段の動作は停止されまたは動作音が小さい動作に変更されるから、画像形成装置の動作音を抑制することができ、オフィス環境等の改善に資することができる。
【００１８】
前項（８）に記載の発明によれば、動作手段の動作の開始後完了までの間に１回または複数回の音量検出を行い、検出された音量が予め設定された閾値以下か否かを判定し、閾値以下の場合は動作手段の動作を停止するか、または動作音が小さい動作に変更する処理を、画像形成装置のコンピュータに実行させることができる。
【００１９】
前項（９）に記載の発明によれば、音量検出を行うときは、動作手段の全部または一部を停止させるか、または動作音が小さい動作に変更させる処理を画像形成装置のコンピュータに実行させることができる。
【００２０】
前項（１０）に記載の発明によれば、動作手段の動作状態のまま音量の検出を行い、検出された音量から保存手段に保存されている動作中の動作手段に対応する動作音量を差し引いた結果が、予め設定された閾値以下か否かを判定する処理を画像形成装置のコンピュータに実行させることができる。
【００２１】
前項（１１）に記載の発明によれば、セキュリティ印刷を行っている場合は、セキュリティ印刷の完了まで動作手段の動作をそのまま継続させる処理を画像形成装置のコンピュータに実行させることができる。
【００２２】
前項（１２）に記載の発明によれば、動作手段による動作が一定値以下の頁数の文書に対する処理動作である場合、処理動作の完了まで動作手段の動作をそのまま継続させる処理を画像形成装置のコンピュータに実行させることができる。
【００２３】
前項（１３）に記載の発明によれば、検出された音量が閾値以下のため動作手段の全部または一部が停止された場合、そのことをユーザーに通知するための処理を画像形成装置のコンピュータに実行させることができる。
【図面の簡単な説明】
【００２４】
【図１】この発明の一実施形態に係る画像形成装置の構成を示すブロック図である。
【図２】画像形成装置の動作を示すフローチャートである。
【図３】画像形成装置の他の動作例を示すフローチャートである。
【図４】画像形成装置のさらに他の動作例を示すフローチャートである。
【図５】予め測定され保存手段に保存されている各動作手段の動作音量のテーブルを示す図である。
【図６】画像形成装置のさらに他の動作例を示すフローチャートである。
【図７】画像形成装置のさらに他の動作例を示すフローチャートである。
【発明を実施するための形態】
【００２５】
以下、この発明の実施形態を図面に基づいて説明する。
【００２６】
図１は、この発明の一実施形態に係る画像形成装置１の構成を示すブロック図である。この実施形態では、画像形成装置１として、コピー機能、プリンタ機能、スキャン機能、ファクシミリ機能等を有する多機能デジタル複合機である前述したＭＦＰが用いられている。以下、画像処理装置をＭＦＰともいう。
【００２７】
図１に示すように、ＭＦＰ１は、制御部１００、固定記憶装置１１０、画像読取装置１２０、操作パネル１３０、画像出力装置１４０、プリンタコントローラ１５０及びネットワークインターフェイス（ネットワークＩ/Ｆ）１６０、マイク１７０等を備え、互いにシステムバス１７５を介して接続されている。
【００２８】
制御部１００は、ＣＰＵ（Central Processing Unit）１０１、ＲＯＭ（Read Only Memory）１０２、Ｓ−ＲＡＭ（Static Random Access Memory）１０３、ＮＶ−ＲＡＭ（Non Volatile RAM）１０４及び時計ＩＣ１０５等を備えている。
【００２９】
ＣＰＵ１０１は、ＲＯＭ１０２等に保存されている動作プログラムを実行することにより、ＭＦＰ１の全体を統括的に制御する。例えばコピー機能、プリンタ機能、スキャン機能、ファクシミリ機能等を実行可能に制御するほか、特にこの実施形態では、自装置の動作前や動作中に、マイク１７０を介して音量検出を行い、検出結果に応じて所定の処理を実行するが、詳細は後述する。
【００３０】
ＲＯＭ１０２は、ＣＰＵ１０１が実行するプログラムやその他のデータを格納する。
【００３１】
Ｓ−ＲＡＭ１０３は、ＣＰＵ１０１がプログラムを実行する際の作業領域となるものであり、プログラムやプログラムを実行する際のデータ等を一時的に保存する。
【００３２】
ＮＶ−ＲＡＭ１０４は、バッテリでバックアップされた不揮発メモリであり、画像形成に係わる各種の設定等を記憶するものである。この実施形態では、画像読取装置１２０や画像出力装置１４０等のハードウェアからなる各動作部を通常動作させたときの、あるいは所定の動作モードで動作させたときの動作音量が予め測定されており、測定された動作音量が初期データとしてＮＶ−ＲＡＭ１０４に保存されている。
【００３３】
時計ＩＣ１０５は、時刻を計時すると共に、内部タイマーとして機能し処理時間の計測等を行う。
【００３４】
固定記憶装置１１０は、ハードディスク等からなり、プログラムや各種データ等を保存する。
【００３５】
画像読取装置１２０は動作時に動作音を発生する動作部の一つであり、スキャナ等を備え、プラテンガラス上にセットされた原稿を走査することによって読み取り、読み取った原稿を画像データに変換する。
【００３６】
操作パネル１３０は、ユーザーがＭＦＰ１へジョブ等の指示や各種設定を行う際に用いられるものであり、リセットー１３１、スタートキー１３２、ストップキー１３３、表示部１３４及びタッチパネル１３５等を備えている。
【００３７】
リセットキー１３１は、設定をリセットする際に使用されるものであり、スタートキー１３２はスキャン等の開始操作に使用されるものであり、ストップキー１３３は動作を中断する場合等に押下されるものである。
【００３８】
表示部１３４は、例えば液晶表示装置からなりメッセージや各種の操作画面等を表示するものであり、タッチパネル１３５は表示部１３４の画面上に形成され、ユーザーのタッチ操作を検出する。
【００３９】
画像出力装置１４０は動作時に動作音を発生する動作部の一つであり、画像読取装置１２０で読み取られた原稿の画像データや、外部操作から送信されたプリントデータから生成された複写画像を用紙上に印字するものである。
【００４０】
プリンタコントローラ１５０は、ネットワークインターフェース１６０によって受信されたプリントデータから複写画像を生成するものである。
【００４１】
ネットワークインターフェース（ネットワークＩ/Ｆ）１６０は、外部の端末装置等との間でデータの送受信を行う通信手段として機能する。
【００４２】
マイク１７０は、音を検知して音量情報を出力するセンサーとして機能するものであり、例えば操作パネル１３０の近傍等に配置されている。
【００４３】
次に、図１に示したＭＦＰ１の動作の概要を説明する。
【００４４】
ユーザーはオフィス環境下等でＭＦＰ１を利用しているが、早朝や昼休み、昼礼、会議中等、ＭＦＰ１の印刷動作時等の動作音が騒音源として認識される状況がある。
【００４５】
そこで、静音環境下では印刷等をさせないことが考えられるが、例えば昼休み前やＭＦＰ１の前での立ち話等、直前までは周辺音量が大きいため動作を開始することがありうる。しかし、動作の開始後に静音環境になった場合は動作音が騒音源となることから、この実施形態では、動作開始後も音量を検出するとともに、検出された音量が閾値以下かどうかを判定して以下に説明するような処理を実行する。
【００４６】
図２は、ＭＦＰ１の具体的な動作処理を示すフローチャートである。なお、図２及び図３以降に示すフローチャートで示される動作は、ＭＦＰ１の制御部１００によって実行され、更に詳細にはＣＰＵ１０１がＲＯＭ１０２等の記録媒体に格納された動作プログラムに従って動作することにより実行される。
【００４７】
ＭＦＰ１はステップＳ０１においてジョブを受け付けたかどうかを判定する。受け付けていなければ（ステップＳ０１でＮＯ）、受け付けるまで待つ。受け付けると（ステップＳ０１でＹＥＳ）、ステップＳ０２で、マイク１７０を介して音量検出を行う。
【００４８】
次いで、ステップＳ０３で、検出した音量が予め設定された閾値以下かどうかを判定する。閾値以下であれば（ステップＳ０３でＹＥＳ）、周辺環境が静音状態でありジョブを実行すると騒音源となることから、ステップＳ０４でジョブの実行を待機し、ステップＳ０２に戻る。
【００４９】
検出した音量が閾値以下でなければ（ステップＳ０３でＮＯ）、周辺環境が静音状態ではないため、ステップＳ０５でジョブの実行を開始したのち、ステップＳ０６に進む。
【００５０】
ステップＳ０６では、ジョブ実行開始から予め設定された一定時間が経過したかどうかを判定する。一定時間が経過していなければ（ステップＳ０６でＮＯ）、ステップＳ０６に留まり一定時間が経過するのを待つ。一定時間が経過すると（ステップＳ０６でＹＥＳ）、ステップＳ０７でジョブを実行している動作部の動作を停止したのち、ステップＳ０８で、マイク１７０を介して音量検出を行う。
【００５１】
次いでステップＳ０９で、検出した音量が予め設定された閾値以下かどうかを判定する。閾値以下であれば（ステップＳ０９でＹＥＳ）、周辺環境が静音状態でありジョブを再開すると騒音源となることから、ステップＳ１２に進み動作の停止を維持した後、ステップＳ１３でユーザーにその旨を通知し、処理を終了する。ユーザーへの通知は、ログインユーザーと関連付けて記憶されているメードアドレス等の宛先に電子メール等により行えば良い。なお、ステップＳ１３でのユーザーへの通知を行わず、ステップＳ０６に戻り、次の周辺音量の検出結果を待っても良い。
【００５２】
ステップＳ０９で、検出した音量が閾値以下でなければ（ステップＳ０９でＮＯ）、周辺環境が静音状態でなくジョブを再開しても騒音源とならないから、ステップＳ１０に進みジョブを再開した後、ステップＳ１１でジョブが完了したかどうかを調べる。ジョブが完了すれば（ステップＳ１１でＹＥＳ）、処理を終了する。ジョブが完了していなければ（ステップＳ１１でＮＯ）、ステップＳ０６に戻る。
【００５３】
このようにこの実施形態では、ジョブの実行開始から完了まで、換言すれば画像読取装置１２０や画像出力装置１４０等の動作部の動作の開始後完了までの間に、１回または複数回の音量検出を行い、検出された音量が予め設定された閾値以下の場合は動作は停止される。従って、ジョブの開始前は静音状態でなくジョブを開始した後に周辺環境が静音状態になった場合は、動作部の動作は停止されジョブは停止されるから、ＭＦＰ１の動作音の発生を防止でき、オフィス環境等の改善に資することができる。
【００５４】
しかも、音量検出を行うときは、動作部の動作が停止されるから、動作部の動作音を排除した状態で周辺音量の検出を行うことができ、動作部の動作音以外の音の大小、換言すれば周辺環境が静音状態か否かを精度良く判定することができる。
【００５５】
図３は、ＭＦＰ１の他の動作例を示すフローチャートである。この例では、音量が閾値以下でない場合、画像読取装置１２０や画像出力装置１４０等の動作部の動作を停止するのではなく、動作音が小さい動作モードに変更するものである。
【００５６】
図３のフローチャートにおいて、ステップＳ０１〜Ｓ０６までは図２のフローチャートと同一であるので、同一のステップ番号を付し説明は省略する。
【００５７】
ステップＳ０６で、一定時間が経過すると（ステップＳ０６でＹＥＳ）、ステップＳ２１でジョブを実行している動作部の動作モードを、動作音が小さい動作モードに変更したのち、ステップＳ２２で、マイク１７０を介して音量検出を行う。
【００５８】
次いでステップＳ２３で、検出した音量が予め設定された閾値以下かどうかを判定する。閾値以下であれば（ステップＳ２３でＹＥＳ）、周辺環境が静音状態でありジョブを再開すると騒音源となることから、ステップＳ２６に進み動作モードを更に動作音が小さくなるモードに変更した後、ステップＳ２５に進む。
【００５９】
動作モードの変更としては、例えば画像出力装置１４０における印刷速度や用紙搬送速度を遅くしたり、あるいは画像読取装置１２０における自動原稿搬送装置の原稿搬送速度を遅くする等の例を挙げることができる。
【００６０】
ステップＳ２３で、検出した音量が閾値以下でなければ（ステップＳ２３でＮＯ）、周辺環境が静音状態でなくジョブを再開しても騒音源とならないから、ステップＳ２４に進み動作モードを元に戻した後、ステップＳ２５に進む。
【００６１】
ステップＳ２５ではジョブが完了したかどうかを調べる。ジョブが完了すれば（ステップＳ２５でＹＥＳ）、処理を終了する。ジョブが完了していなければ（ステップＳ２５でＮＯ）、ステップＳ０６に戻る。
【００６２】
このようにこの実施形態では、ジョブの実行開始から完了まで、換言すれば画像読取装置１２０や画像出力装置１４０等の動作部の動作の開始後完了までの間に、１回または複数回の音量検出を行い、検出された音量が予め設定された閾値以下の場合は動作モードを変更して動作音を更に小さくするから、ジョブの開始前は静音状態でなくジョブを開始した後に周辺環境が静音状態になった場合にＭＦＰ１の動作音の発生を抑制でき、オフィス環境等の改善に資することができる。
【００６３】
しかも、音量検出を行うときは、動作部の動作モードを動作音が小さくなるモードに変更されるから、動作部の動作音を可及的に排除した状態で音量検出を行うことができ、動作部の動作音以外の周辺音量の大小、換言すれば周辺環境が静音状態か否かを精度良く判定することができる。
【００６４】
なお、図３の例において、動作モードを変更するのではなく、複数の動作部が動作している場合は一部の動作部、特に動作音の大きい動作部の動作を停止してもよい。
【００６５】
図４は、ＭＦＰ１のさらに他の動作例を示すフローチャートである。この例では、ＭＦＰ１のジョブ実行動作を継続したまま、音量を測定するものである。
【００６６】
ＭＦＰ１はステップＳ３１においてジョブを受け付けたかどうかを判定する。受け付けていなければ（ステップＳ３１でＮＯ）、受け付けるまで待つ。受け付けると（ステップＳ３１でＹＥＳ）、ステップＳ３２で、マイク１７０を介して音量を検出する。
【００６７】
次いで、ステップＳ３３で、検出した音量が予め設定された閾値以下かどうかを判定する。閾値以下であれば（ステップＳ３３でＹＥＳ）、周辺環境が静音状態でありジョブを実行すると騒音源となることから、ステップＳ３４でジョブの実行を待機し、ステップＳ０２に戻る。
【００６８】
検出した周辺音量が閾値以下でなければ（ステップＳ３３でＮＯ）、周辺環境が静音状態ではないため、ステップＳ３５でジョブの実行を開始したのち、ステップＳ３６に進む。
【００６９】
ステップＳ３６では、ジョブ実行開始から予め設定された一定時間が経過したかどうかを判定する。一定時間が経過していなければ（ステップＳ３６でＮＯ）、ステップＳ３６に留まり一定時間が経過するのを待つ。一定時間が経過すると（ステップＳ３６でＹＥＳ）、動作を継続したままステップＳ３７でマイク１７０を介して音量を検出する。
【００７０】
次いでステップＳ３８で、現在動作している画像読取装置１２０や画像出力装置１４０等の動作音量の初期値を、ＮＶ−ＲＡＭ１０４から取得したのち、ステップＳ３９に進む。
【００７１】
図５に、ＮＶ−ＲＡＭ１０４に記憶されている動作音量の初期値を示す。動作音量の初期値は、例えば初回動作時等に予め測定しておき、測定結果をＮＶ−ＲＡＭ１０４に保持しておく。図５の例では、画像読取装置１２０及び画像出力装置１４０についての動作音量（初期値）が記憶されているが、動作モードの異なる毎に動作音量を測定しておき、記憶させても良い。
【００７２】
図４に戻り、ステップＳ３９では、検出された音量から取得した動作音量の初期値を差し引いたのち、ステップＳ４０で、差し引いたあとの値が予め設定された閾値以下かどうかを判定する。閾値以下であれば（ステップＳ４０でＹＥＳ）、周辺環境が静音状態でありジョブを再開すると騒音源となることから、ステップＳ４３に進み動作の停止を維持した後、ステップＳ４４でユーザーにその旨を通知し、処理を終了する。なお、ステップＳ１３でのユーザーへの通知を行わず、ステップＳ３６に戻り、次の音量の検出結果を待っても良い。
【００７３】
ステップＳ４０で、検出した音量が閾値以下でなければ（ステップＳ４０でＮＯ）、周辺環境が静音状態でなくジョブを再開しても騒音源とならないから、ステップＳ４１に進みジョブを再開した後、ステップＳ４２でジョブが完了したかどうかを調べる。ジョブが完了すれば（ステップＳ４２でＹＥＳ）、処理を終了する。ジョブが完了していなければ（ステップＳ４２でＮＯ）、ステップＳ３６に戻る。
【００７４】
このようにこの実施形態では、予め行われた画像読取装置１２０や画像出力装置１４０等の動作部の動作音量の測定結果が初期値としてＮＶ−ＲＡＭ１０４等に保存されており、音量検出は動作継続状態のまま行われるとともに、検出された音量から、保存されている動作中の動作部に対応する動作音量の初期値を差し引いた結果が、予め設定された閾値以下か否かを判定するから、音量検出のために動作部を停止等させる必要はなくなり、効率化を図ることができる。
【００７５】
なお、図４のフローチャートに示した動作例においても、図３のフローチャートに示した動作例と同様に、動作部の動作を停止するのではなく動作音が小さくなるように動作モードを変更しても良い。
【００７６】
図６は、ＭＦＰ１のさらに他の動作例を示すフローチャートである。この例では、受け付けたジョブがセキュリティ印刷の場合を示すものである。なお、セキュリティ印刷とは印刷物の印刷にユーザーの認証情報の入力を必要とする印刷をいう。
【００７７】
図６のフローチャートは、図２のフローチャートにおけるステップＳ０１〜Ｓ０５及びステップＳ０６〜Ｓ１３と同一であるので、同一のステップ番号を付し、説明は省略する。
【００７８】
ステップＳ０５で、ジョブ実行を開始した後、ステップＳ５１で、受け付けたジョブがセキュリティ印刷かどうかを判定する。セキュリティ印刷の場合は（ステップＳ５１でＹＥＳ）、ステップＳ５２でジョブが完了したかどうかを調べる。ジョブが完了していなければ（ステップＳ５２でＮＯ）、ジョブが完了するまで待つ。ジョブが完了すると（ステップＳ５２でＹＥＳ）、処理を終了する。ステップＳ５１で、受け付けたジョブがセキュリティ印刷でない場合は（ステップＳ５１でＮＯ）、ステップＳ０６に進む。
【００７９】
このようにこの実施形態では、セキュリティ印刷の場合は、印刷中に音量検出を行うことなくジョブを完了させる。これによって、印刷動作を停止等させることによるセキュリティ上の問題が発生するのを防止できる。
【００８０】
図７は、ＭＦＰ１のさらに他の動作例を示すフローチャートである。この例では、受け付けたジョブが頁数の少ない文書の印刷ジョブ等である場合を示すものである。
【００８１】
図７のフローチャートは、図２のフローチャートにおけるステップＳ０１〜Ｓ０５及びステップＳ０６〜Ｓ１３と同一であるので、同一のステップ番号を付し、説明は省略する。
【００８２】
ステップＳ０５で、ジョブ実行を開始した後、ステップＳ６１で、受け付けたジョブの処理対象の頁数は一定値以下かどうかを判定する。一定値以下の場合は（ステップＳ６１でＹＥＳ）、ステップＳ６２でジョブが完了したかどうかを調べる。ジョブが完了していなければ（ステップＳ６２でＮＯ）、ジョブが完了するまで待つ。ジョブが完了すると（ステップＳ６２でＹＥＳ）、処理を終了する。ステップＳ６１で、受け付けたジョブの処理頁数は一定値以下でない場合は（ステップＳ６１でＮＯ）、ステップＳ０６に進む。
【００８３】
このようにこの実施形態では、動作部による動作が一定値以下の頁数の文書に対する処理動作である場合、動作中に音量検出を行うことなくジョブを完了させる。これによって、処理頁数が少ないのに印刷動作等を停止させることによるジョブの遅延を回避できる。
【００８４】
以上、本発明の一実施形態を説明したが、本発明はこれらの実施形態に限定されることはない。たとえば、一定時間経過する毎に定期的に動作を停止して音量を検出したが、検出は１回のみでも良く、あるいは一定枚数毎に停止して検出しても良いし、部数の区切りで停止して検出しても良いし、ユーザー毎に定められた時点で停止して検出しても良い。しかし、一定時間毎に停止するのが処理が簡単な点から望ましい。
【符号の説明】
【００８５】
１    画像形成装置
１００  制御部
１０１  ＣＰＵ
１０２  ＲＯＭ
１０４  ＮＶ−ＲＡＭ
１２０  画像読取装置
１４０  画像出力装置
１７０  マイク
【図１】
2018167513.tif 000003
【図２】
2018167513.tif 000004
【図３】
2018167513.tif 000005
【図４】
2018167513.tif 000006
【図５】
2018167513.tif 000007
【図６】
2018167513.tif 000008
【図７】
2018167513.tif 000009